(57)【特許請求の範囲】
【請求項１】
同時に一覧表示される複数の縮小画像それぞれのコピー制御情報である個別制御情報を取得する制御情報取得手段と、
前記制御情報取得手段によって取得された複数の個別制御情報に基づき、前記複数の縮小画像が一覧表示される一覧表示画像のコピー制御情報である代表制御情報を決定する決定手段と、
前記決定手段により決定された前記代表制御情報を、前記一覧表示画像と関連付けて出力する出力手段と
を備えるコピー制御情報決定装置。
【請求項２】
前記決定手段は、前記複数の個別制御情報の中の最も強い著作権保護機能を有する個別制御情報を前記代表制御情報と決定する
請求項１記載のコピー制御情報決定装置。
【請求項３】
前記個別制御情報は、コピー可、１回コピー可、およびコピー不可のいずれかであり、１回コピー可はコピー可よりも前記個別制御情報が有する著作権保護機能は強く、コピー不可は１回コピー可よりも前記個別制御情報が有する著作権保護機能は強い
請求項２記載のコピー制御情報決定装置。
【請求項４】
前記複数の縮小画像のうち、少なくとも１つは縮小された動画像である縮小動画であり、
前記縮小動画を構成する各画像のコピー制御情報は特定されており、
前記決定手段は、前記代表制御情報を決定すべき時点の前記縮小動画のコピー制御情報を前記縮小動画の個別制御情報とみなして、前記代表制御情報を決定する
請求項１記載のコピー制御情報決定装置。
【請求項５】
さらに、前記一覧表示画像の信号を取得する画像信号取得手段を備え、
前記出力手段は、前記代表制御情報を、前記画像信号取得手段が取得した前記一覧表示画像の信号に付加して出力する
請求項１記載のコピー制御情報決定装置。
【請求項６】
前記画像信号取得手段は、さらに、前記一覧表示画像の一部に重ねて表示される副画像の信号を取得し、
前記出力手段は、前記一覧表示画像の信号に前記副画像の信号を重畳し、
前記決定手段は、前記副画像に隠されることなく表示される縮小画像の個別制御情報に基づき前記代表制御情報を決定し、
前記副画像に隠されることなく表示される縮小画像は、前記縮小画像全体の所定の割合以上が表示される画像である
請求項５記載のコピー制御情報決定装置。
【請求項７】
前記所定の割合は、前記副画像と前記縮小画像との位置関係によって、または、前記副画像の透明度によって、前記副画像に隠されることなく表示される割合である
請求項６記載のコピー制御情報決定装置。
【請求項８】
前記縮小画像は、所定の記憶媒体に記憶されているコンテンツを示す画像であり、
前記コンテンツは、互いに対応付けられた、前記コンテンツの実体データと前記縮小画像である静止画と前記静止画のコピー制御情報とを有し、
前記制御情報取得手段は、前記所定の記憶媒体から前記コピー制御情報を前記個別制御情報として取得する
請求項１記載のコピー制御情報決定装置。
【請求項９】
前記縮小画像は、所定の記憶媒体に記憶されているコンテンツを示す画像であり、
前記コンテンツは、前記コンテンツの実体データを有し、
前記実体データは、前記縮小画像となる画像を含む１以上の画像と前記１以上の画像のそれぞれに対応付けられたコピー制御情報を含み、
前記制御情報取得手段は、前記所定の記憶媒体に記憶されている前記コンテンツの実体データから前記縮小画像に対応するコピー制御情報を前記個別制御情報として取得する
請求項１記載のコピー制御情報決定装置。
【請求項１０】
さらに、放送番組であるコンテンツを受信する受信手段を備え、
前記縮小画像は、前記受信手段が受信するコンテンツを示す画像であり、
前記コンテンツは、互いに対応付けられた、前記コンテンツの実体データと前記縮小画像である静止画と前記静止画のコピー制御情報とを有し、
前記制御情報取得手段は、受信手段が受信した前記コピー制御情報を前記個別制御情報として取得する
請求項１記載のコピー制御情報決定装置。
【請求項１１】
さらに、放送番組であるコンテンツを受信する受信手段を備え、
前記コンテンツは、前記コンテンツの実体データを有し、
前記実体データは、前記縮小画像となる画像を含む１以上の画像と前記１以上の画像のそれぞれに対応付けられたコピー制御情報を含み、
前記制御情報取得手段は、前記受信手段が受信した前記コンテンツの実体データから、前記縮小画像に対応するコピー制御情報を前記個別制御情報として取得する
請求項１記載のコピー制御情報決定装置。
【請求項１２】
同時に一覧表示される複数の縮小画像それぞれのコピー制御情報である個別制御情報を取得する取得ステップと、
前記取得ステップにおいて取得された複数の個別制御情報に基づき、前記複数の縮小画像が一覧表示される一覧表示画像のコピー制御情報である代表制御情報を決定する決定ステップと、
前記決定ステップおいて決定された前記代表制御情報を、前記一覧表示画像と関連付けて出力する出力ステップと
をコンピュータに実行させるためのプログラム。
【発明の詳細な説明】
【技術分野】
【０００１】
本発明は、画像のコピーを制御するためのコピー制御情報を決定するコピー制御情報決定装置に関する。
【背景技術】
【０００２】
近年、ＤＶＤ（Digital Versatile Disc）やＨＤＤ（Hard Disk Drive）にＡＶ（Audio Visual）コンテンツなどを記録し再生する機器が出現している。このような機器は多くのコンテンツを記録することが出来る。そのため、一旦記録したものを再生するときに、コンテンツの一覧をユーザにわかりやすく提示し、どのコンテンツを再生するかを選択させる機能が重要となる。この機能の一つの例として、静止画サムネイルナビ機能がある。静止画サムネイルナビ機能とは、コンテンツを代表する静止画の縮小画像であるサムネイルをひとつの画面に複数表示する機能である。
【０００３】
図１は、従来の記録再生装置において静止画サムネイルナビ機能が起動された際のコンテンツ視聴システムの概観を示す図である。以下、図１を参照しながら、従来の記録再生装置の動作を説明する。コンテンツ視聴システムとは、ユーザが記録再生装置を用い、コンテンツの視聴等を行うためのシステムである。
【０００４】
図１に示すシステムにおいて、従来の記録再生装置である第１記録再生装置２１は、テレビ２および第２記録再生装置２０と接続されている。第１記録再生装置２１は、コンテンツの記録および再生をする装置である。テレビ２は第１記録再生装置２１からの出力データを表示するための表示装置である。第２記録再生装置２０は、第１記録再生装置２１から出力される画像等の信号を記録するための装置である。なお、第１記録再生装置２１は、ユーザが操作するリモコン２２から送信される指示に基づき動作する。
【０００５】
第１記録再生装置２１から、テレビ２および第２記録再生装置２０へは同一の信号が出力されている。つまり、第２記録再生装置２０は、第１記録再生装置２１から出力されテレビ２に表示される画像と同じ画像の信号を記録することができる。
【０００６】
第１記録再生装置２１はコンテンツを記憶するための記憶媒体を備え、その記憶媒体には複数のコンテンツが記憶されている。そして各コンテンツを代表する静止画の縮小画像であるサムネイルの画像データがコンテンツとは別領域に保存されている。
【０００７】
コンテンツのどの位置の画像データをそのコンテンツを示すサムネイルとするかは、自動的に決定することもでき、ユーザが指定することもできる。
【０００８】
さらに、第１記録再生装置２１内の記憶媒体には各サムネイルの画像データとともに画像データの著作権保護のための情報であるコピー制御情報が記憶されている。コピー制御情報には「コピー可」、「１回コピー可」、「コピー不可」がある。このコピー制御情報は、コンテンツの実体データにおいて、サムネイルとして抽出されたフレームに付加されているコピー制御情報が採用される。なおフレームとは動画を構成する最小単位である。
【０００９】
ユーザのリモコン２２の操作により静止画サムネイルナビ機能の起動が指示されると、第１記録再生装置２１は、自身が備える記憶媒体からサムネイルデータのみを読み出して再生し、テレビ２に一覧表示させる。この動作により、図１に示すように、サムネイルの一覧表示画面である静止画サムネイルナビ画面がテレビ２に表示される。
【００１０】
また、６枚のサムネイルは同時に表示される。表示すべきサムネイルが６枚より多い場合、ユーザは、順次ページを切り換える、または一覧をスクロールするなどすることにより、残りのサムネイルが表示される。
【００１１】
ユーザは、リモコン２２の十字キー２２ａにより、サムネイルの選択を行うことができる。例えば、図１においてはサムネイル２０１にカーソルが合わせられており、サムネイル２０１が選択されていることを示している。なお、カーソルは、図中ではサムネイルを囲む太線で現される。
【００１２】
いずれかのサムネイルが選択されている状態で、リモコン２２の再生キー２２ｂを押下されることで、選択されたサムネイルに対応するコンテンツの全画面再生が始まる。また、消去キー２２ｃが押下されることで、選択したサムネイルに対応するコンテンツの消去が行われる。
【００１３】
以上述べたように、静止画サムネイルナビ機能とは、コンテンツを代表する静止画サムネイルの一覧を表示し、ユーザの再生およびコンテンツ消去などの操作の利便性を高めるための機能である。
【００１４】
なお、ＤＶＤオーディオディスクに静止画データを書き込む際に、各静止画毎に、対応するコピー制御情報を付帯させて記録する方式が開示されている（例えば、特許文献１参照）。
【特許文献１】特開２００１−７８１４０号公報
【発明の開示】
【発明が解決しようとする課題】
【００１５】
上述のように、各サムネイルはコピー制御情報が付加されている。従って、一覧表示画面内で互いに異なるコピー制御情報が付加されたサムネイルが表示される場合がある。
【００１６】
例えば、図１に示すサムネイル２０４のコピー制御情報が「コピー不可」であり、その他のサムネイルのコピー制御情報が「コピー可」であると想定する。
【００１７】
この想定下では、一つの一覧表示画面に存在するサムネイルに付加されたコピー制御情報は「コピー可」および「コピー不可」の２種類となる。この場合、上記従来の記録再生装置では、一覧表示画面を表示するための画像信号に有効なコピー制御情報を付加することができない。
【００１８】
そのため、例えば、図１に示す一覧表示画面に「コピー不可」のサムネイルが表示されているにもかかわらず、その一覧表示画面の表示データを第２記録再生装置２０が記録することが可能である。
【００１９】
つまり、上記従来の記録再生装置においては、複数のサムネイルが一覧表示される画像が出力される際、各サムネイルのコピー制御情報は考慮されることがなく、その画像は自由にコピーされてしまうこととなる。また、自由なコピーを防止するために、その一覧表示画像を一律にコピー禁止にすると、全てのサムネイルがコピー可である場合でもユーザはその一覧表示画像をコピーすることができない。
【００２０】
本発明は、上記課題を考慮し、複数のコンテンツのそれぞれを示す複数の縮小画像が同時に一覧表示される一覧表示画像に対し適切な著作権保護を行うためのコピー制御情報決定装置を提供することを目的とする。
【課題を解決するための手段】
【００２１】
本発明のコピー制御情報決定装置は、同時に一覧表示される複数の縮小画像それぞれのコピー制御情報である個別制御情報を取得する制御情報取得手段と、前記制御情報取得手段によって取得された複数の個別制御情報に基づき、前記複数の縮小画像が一覧表示される一覧表示画像のコピー制御情報である代表制御情報を決定する決定手段と、前記決定手段により決定された前記代表制御情報を、前記一覧表示画像と関連付けて出力する出力手段とを備える。
【００２２】
このように、本発明のコピー制御情報決定装置は、複数の縮小画像が同時に一覧表示される一覧表示画像のコピー制御情報として、個々の縮小画像が有する個別制御情報を考慮したコピー制御情報を決定する。さらに決定されたコピー制御情報を一覧表示画像と関連付けて出力する。これにより、一覧表示画像に対して適切な著作権保護を図ることが可能となる。
【発明の効果】
【００２３】
本発明によれば、例えば、記録再生装置が出力する、ユーザに複数のコンテンツの中から再生等の処理を行うコンテンツの選択を行わせるための縮小画像の一覧表示画像に対し、適切な著作権保護を行うためのコピー制御情報決定装置を提供することができる。
【００２４】
更に、本発明は、本発明のコピー制御情報決定装置の特徴的な構成部をステップとする方法として実現したり、それらのステップを含むプログラムとして実現したり、そのプログラムが格納された、ＣＤ−ＲＯＭ等の記憶媒体として実現したり、集積回路として実現することもできる。プログラムは、通信ネットワーク等の伝送媒体を介して流通させることもできる。
【発明を実施するための最良の形態】
【００２５】
以下、添付の図面を参照しながら、本発明の実施の形態の記録再生装置について説明する。
【００２６】
（実施の形態１）
図２は、本発明の実施の形態１の第１記録再生装置１において静止画サムネイルナビ機能が起動された際のコンテンツ視聴システムの概観を示す図である。
【００２７】
図２に示すシステムにおいて、第１記録再生装置１はテレビ２および第２記録再生装置２０と接続されている。第１記録再生装置１は、本発明のコピー制御情報決定装置の一例であり、コンテンツの記録および再生をする装置である。テレビ２は第１記録再生装置１からの出力データを表示する表示装置である。第２記録再生装置２０は、第１記録再生装置１から出力される画像等の信号を記録するための装置である。
【００２８】
なお、第１記録再生装置１は、ユーザが操作するリモコン３から送信される指示に基づき動作する。リモコン３はユーザの指示を受け付けるための十字キー３ａ、再生キー３ｂ、および消去キー３ｃを有する。各キーがユーザにより押下された際の第１記録再生装置１の動作については後述する。
【００２９】
また、第１記録再生装置１から、テレビ２および第２記録再生装置２０へは同一の信号が出力されている。つまり、第２記録再生装置２０は、第１記録再生装置１から出力されテレビ２に表示される画像と同じ画像の信号を記録することができる。
【００３０】
テレビ２には、第１記録再生装置１が有するサムネイルナビ機能により、６つのサムネイルを同時に表示することのできる静止画サムネイルナビ画面が表示されている。なおサムネイルは、本発明のコピー制御情報決定装置における縮小画像の一例である。また、静止画サムネイルナビ画面の画像は、本発明のコピー制御情報決定装置における一覧表示画像の一例である。
【００３１】
静止画サムネイルナビ画面には、サムネイルを表示するための６つの表示領域が存在する。それぞれの表示領域にサムネイル２０１〜サムネイル２０６が表示されている。
【００３２】
図２に示すように、第１記録再生装置１を用いたコンテンツ視聴システムの概観は、図１に示す従来の記録再生装置を用いるシステムの概観と変わらない。
【００３３】
しかしながら、第１記録再生装置１は、内部に備える構成部が有する機能により、複数のコンテンツのそれぞれを示す複数の縮小画像が同時に表示された画像に対し適切に著作権保護を行うことができる。
【００３４】
図３は、第１記録再生装置１の機能的な構成を示す機能ブロック図である。
図３に示すように、第１記録再生装置１は、受付部４と、制御部５と、データ受信部６と、データ処理部７と、コンテンツ記憶部８と、サムネイル取得部９と、一覧生成部１０と、コピー制御情報決定部１１と、通知パネル生成部１２と、再生部１３と、出力部１４と、第１出力端子１５と、第２出力端子１６とを備える。
【００３５】
受付部４は、リモコン３から送信されるユーザの指示を受け付ける処理部である。制御部５は、ユーザの指示等に基づき、第１記録再生装置１の動作を制御する処理部である。データ受信部６は、アンテナ６０を介しコンテンツデータを受信する処理部である。
【００３６】
データ処理部７は、コンテンツデータの管理、および、必要に応じたデコードまたはエンコードなどの処理を行う処理部である。コンテンツ記憶部８は、コンテンツデータを記憶する記憶装置である。サムネイル取得部９は、コンテンツ記憶部８に記憶されているコンテンツデータからサムネイルの画像データおよびサムネイルの画像データに付加されているコピー制御情報を取得する処理部である。
【００３７】
一覧生成部１０は、複数のサムネイルを同時に表示する一覧表示画面である静止画サムネイルナビ画面の画像信号を生成する処理部である。コピー制御情報決定部１１は、静止画サムネイルナビ画面の画像信号に付加すべきコピー制御情報の内容を決定する処理部である。なお、コピー制御情報決定部１１は、本発明のコピー制御情報決定装置における決定手段の一例である。
【００３８】
通知パネル生成部１２は、第１記録再生装置１の状態を通知するためのパネルを表示する信号を生成する処理部である。再生部１３は、コンテンツを再生する処理部である。出力部１４は、本発明のコピー制御情報決定装置における出力手段の一例であり、コンテンツの画像信号等を出力する処理部である。また、出力部１４は、本発明のコピー制御情報決定装置における画像信号取得手段が有する画像信号を取得する機能も実現する。
【００３９】
第１出力端子１５および第２出力端子１６は、出力部１４から出力される信号をテレビ等の外部機器に出力するための端子である。図３に示すように、第１出力端子１５から出力された信号はテレビ２が受信し、第２出力端子１６から出力された信号は第２記録再生装置２０が受信する。第１出力端子１５および第２出力端子１６から出力される信号は同一のものである。
【００４０】
上記構成により、第１記録再生装置１は、複数の縮小画像が同時に表示される静止画サムネイルナビ画面の画像に対し適切な著作権保護を行うため処理を行うことができる。
【００４１】
静止画サムネイルナビ機能について、図４および図５を参照し詳細に説明する。
図４は、コンテンツデータのデータ構成の一例を示す図である。図４に示すように、コンテンツデータ３０は、実体データ３０ｄとサムネイルデータ３０ａとを有している。実体データ３０ｄは、コンテンツの実体である画像、音声などの情報を含むデータである。
【００４２】
また、サムネイルデータ３０ａは、サムネイル画像データ３０ｂとコピー制御情報３０ｃとを含むデータである。サムネイル画像データ３０ｂは、実体データ３０ｄに含まれる画像データから抽出された、フレームの静止画のデータである。コピー制御情報３０ｃは、サムネイル画像データ３０ｂに付加されたコピー制御のための情報である。
【００４３】
なお、コピー制御情報は、上述のように「コピー可」、「１回コピー可」、「コピー不可」のいずれか一つの情報である。このコピー制御情報は、コンテンツの実体データにおいて、サムネイルになる画像として抽出されたにフレームに付加されているコピー制御情報が採用される。
【００４４】
具体的には、コンテンツの実体データにおいては、フレームごとにコピー制御情報が付加されており、コンテンツの再生に伴ってコピー制御情報が変化する場合がある。
【００４５】
図５は、コンテンツの実体データに付加されたコピー制御情報のコンテンツ再生にともなう経時変化の一例を示す図である。
【００４６】
図５に示す図において横軸は時間（ｔ）である。また、斜線部分は「コピー不可」であることを示し、斜線部分以外の矩形は「コピー可」であることを示す。
【００４７】
例えば、コンテンツの実体データのｔ１の時点のフレームのデータ抽出し、サムネイル画像データとした場合、そのサムネイル画像データに付加されるコピー制御情報は「コピー可」となる。また、コンテンツの実体データのｔ２の時点のフレームのデータを抽出し、サムネイル画像データとした場合、そのサムネイル画像データに付加されるコピー制御情報は「コピー不可」となる。
【００４８】
なお、コンテンツの実体データのどの位置の画像データをサムネイルとするかは、予め決定されていても、第１記録再生装置１が自動的に決定してもよい。さらに、ユーザの指定により決定してもよい。これら指定の仕方については本発明とは関わりがない。本発明の実施の形態１および２においては、図４に示すように予め決定されているものとする。
【００４９】
第１記録再生装置１のコンテンツ記憶部８には、複数のコンテンツが記憶されている。具体的には、図４に示すデータ構成を有するコンテンツデータが複数記憶されている。つまり、サムネイルデータも複数記憶されている。
【００５０】
図６は、コンテンツ記憶部８に記憶されている複数のサムネイルデータの例を示す図である。
【００５１】
図６に示すサムネイルデータ２０１ａ〜サムネイルデータ２０６ａは、それぞれ図２に示すサムネイル２０１〜サムネイル２０６に対応する。また、上述のように、サムネイルデータ２０１ａ〜サムネイルデータ２０６ａは、それらサムネイルデータに対応するコンテンツの実体データとともにコンテンツ記憶部８に記憶されている。
【００５２】
各サムネイルデータは、サムネイル画像データとコピー制御情報とを有している。また、各コピー制御情報の「可」は、「コピー可」を意味し、「不可」は「コピー不可」を意味する。図６に示すように、サムネイル２０４のみ「コピー不可」であり、その他のサムネイルは「コピー可」である。
【００５３】
ユーザのリモコン３の操作により静止画サムネイルナビ機能の起動が指示されると、サムネイル取得部９はコンテンツ記憶部８より、サムネイルデータ２０１ａ〜サムネイルデータ２０６ａを取得する。サムネイル取得部９は、取得した各サムネイルデータからサムネイル画像データを抽出し、一覧生成部１０へ送信する。
【００５４】
一覧生成部１０は、受信したサムネイル画像データを用い、静止画サムネイルナビ画面をテレビ２に表示させるための画像信号を生成する。生成された画像信号は出力部１４へ送信される。
【００５５】
出力部１４は、受信した画像信号を、第１出力端子１５を介しテレビ２へ出力し、第２出力端子１６を介し第２記録再生装置２０へ出力する。
【００５６】
上記の画像信号の出力の結果、図２に示すように、テレビ２に静止画サムネイルナビ画面が表示される。静止画サムネイルナビ画面には、サムネイル２０１〜サムネイル２０６の６枚のサムネイルが表示される。
【００５７】
なお、コンテンツ記憶部８に記憶されているコンテンツの数が６個以上である場合、ユーザは静止画サムネイルナビ画面において、ページ切換またはスクロールするなどして残りのサムネイルを表示させることができる。
【００５８】
ユーザは、リモコン３の十字キー３ａを操作することにより、サムネイルの選択を行うことができる。例えば、図２に示す静止画サムネイルナビ画面ではサムネイル２０１にカーソルが合わせられており選択状態であることを示している。
【００５９】
静止画サムネイルナビ画面において、いずれかのサムネイルが選択されている状態で、ユーザによりリモコン３の再生キー３ｂが押下されると、リモコン３から第１記録再生装置１へ再生指示が送信される。第１記録再生装置１では、ユーザに選択されたムネイルに対応するコンテンツの再生を開始し、そのコンテンツの画像信号がテレビ２および第２記録再生装置２０に出力される。テレビ２ではそのコンテンツの全画面再生が開始される。
【００６０】
具体的には、制御部５の指示を受けたデータ処理部７により、ユーザに選択されたサムネイルに対応するコンテンツの実体データがコンテンツ記憶部８から読み出され、再生部１３に送信される。再生部１３はコンテンツの実体データを再生する。再生された実体データの画像信号は出力部１４を介しテレビ２および第２記録再生装置２０に出力される。
【００６１】
なお、いずれかのサムネイルが選択されている状態で、ユーザによりリモコン３の消去キー３ｃが押下された場合、選択されているサムネイルに対応するコンテンツがコンテンツ記憶部８から消去される。
【００６２】
具体的には、制御部５の指示を受けたデータ処理部７が、そのコンテンツのコンテンツデータをコンテンツ記憶部８から消去する。
【００６３】
以上述べたように、第１記録再生装置１は、静止画サムネイルナビ機能により、各コンテンツを代表する静止画の縮小画像であるサムネイルを一覧表示する。この機能により、ユーザが行うコンテンツの再生およびコンテンツの消去などの操作の利便性が向上される。
【００６４】
ここで、第１記録再生装置１は、静止画サムネイルナビ画面の画像信号を出力する際に、静止画サムネイルナビ画面に対し適切な著作権保護を行うためのコピー制御情報を決定する。このコピー制御情報について以下に説明する。
【００６５】
サムネイルには、上述のように「コピー可」「１回コピー可」「コピー不可」のいずれか１つのコピー制御情報が付加されている。これらの情報は、「コピー可」「１回コピー可」「コピー不可」の順に、コピー制御情報が有する著作権保護機能は強くなる。以下、コピー制御情報が「強い」という場合、そのコピー制御情報が有する著作権保護機能が強いことを意味する。
【００６６】
第１記録再生装置１は、表示されている複数のサムネイルの持つコピー制御情報をマージする。マージするとは、複数のコピー制御情報のうち、もっとも強いもの選択することである。つまり、表示されている複数のサムネイルの持つコピー制御情報のうち最も強いコピー制御情報を、静止画サムネイルナビ画面に付加するコピー制御情報と決定する。
【００６７】
具体的には、サムネイル取得部９がコンテンツ記憶部８からサムネイルデータを取得し、サムネイルデータの中からコピー制御情報を取得する。つまり、サムネイル取得部９は、本発明のコピー制御情報決定装置における個別制御情報を取得する。サムネイル取得部９は、コピー制御情報をコピー制御情報決定部１１へ送信する。コピー制御情報決定部１１は、サムネイル取得部９から受信した複数のコピー制御情報の中から、最も強いコピー制御情報を、静止画サムネイルナビ画面の画像信号に付加するコピー制御情報として決定する。つまり、コピー制御情報決定部１１は、本発明のコピー制御情報決定装置における代表制御情報を決定する。
【００６８】
さらに決定したコピー制御情報を出力部１４へ送信する。送信されたコピー制御情報は、出力部１４において画像信号に付加され、その画像信号とともにテレビ２および第２記録再生装置２０へ送信される。
【００６９】
以下に、コピー制御情報決定部１１が、静止画サムネイルナビ画面の画像信号に付加するコピー制御情報を決定する際のコピー制御情報の組合せの例を説明する。
【００７０】
図２のテレビ２の画面表示の例では、サムネイル２０４がコピー制御情報として「コピー不可」を有しており、その他のサムネイルのコピー制御情報は「コピー可」である（図６参照）。つまり、もっとも強いコピー制御情報は「コピー不可」である。従って、静止画サムネイルナビ画面の画像信号に「コピー不可」のコピー制御情報を付加して出力する。
【００７１】
これにより、テレビ２での表示には影響はないが、画像信号の出力先である第２記録再生装置２０では、静止画サムネイルナビ画面の画像信号を記録することができない。結果として、「コピー不可」であるサムネイル２０４がコピーされるのを防ぐことができる。
【００７２】
上記以外のコピー制御情報の組合せの例として、例えば、複数のサムネイルのコピー制御情報として、「１回コピー可」と「コピー可」の２種類存在する場合、最も強いコピー制御情報は「１回コピー可」である。従って、画像信号に「１回コピー可」のコピー制御情報を付加して出力する。また、複数のサムネイルのコピー制御情報のすべてが「コピー可」である場合、画像信号に「コピー可」のコピー制御情報を付加して出力する。
【００７３】
つまり、第１記録再生装置１から出力される静止画サムネイルナビ画面の画像信号が第２記録再生装置２０に記憶されるのは、その画像信号に含まれる複数のサムネイル画像データに付加されたコピー制御情報が全て「コピー可」である場合のみである。
【００７４】
複数のサムネイルのコピー制御情報の組合せが上述の組み合わせ以外の場合でも、同様の基準に則って一つのコピー制御情報が決定される。
【００７５】
次に、静止画サムネイルナビ画面の上に、サムネイルを覆い隠すようになんらかの画像が重畳された場合の第１記録再生装置１の動作について、図７を用いて説明する。
【００７６】
図７は、静止画サムネイル画面に通知パネルが重ねられて表示された場合のテレビ２の画面表示例を示す図である。なお、通知パネルは本発明のコピー制御情報決定装置における副画像の一例である。
【００７７】
第１記録再生装置１において、通知パネル生成部１２は、制御部５の指示に基づき、ユーザの操作の結果または機器からの警告を通知するための通知パネルの画像信号を生成する。生成された通知パネルの画像信号は、出力部１４において静止画サムネイル画面の画像信号に重畳され、テレビ２および第２記録再生装置２０に出力される。
【００７８】
例えば、図７に示すように、予約録画の開始時刻が迫っていることをユーザに通知するために「予約録画が始まります」と表示された通知パネルが静止画サムネイル画面の一部に重ねられて表示される。
【００７９】
この通知パネルにより、本来表示されるサムネイルが表示されなくなる。例えば、図７に示すようにサムネイル２０４〜サムネイル２０６の３つのサムネイルが覆い隠される。つまり、この状態で第１記録再生装置１から出力されている画像信号に含まれるサムネイル画像データは、サムネイル２０１〜サムネイル２０３の３つのサムネイル画像データのみである。
【００８０】
このような画面表示状態になっている際の、画像信号出力に付加するコピー制御情報について、以下に説明する。
【００８１】
上述のように、通知パネルにより隠されたサムネイルのサムネイル画像データは出力されない。そのため、これらのサムネイル画像データに付加されたコピー制御情報は、画像信号出力には反映する必要がない。
【００８２】
従って、コピー制御情報決定部１１は、サムネイル２０１〜サムネイル２０３のコピー制御情報のみマージする。図６に示すように、サムネイル２０１〜サムネイル２０３のサムネイル画像データに付加されたコピー制御情報は、すべて「コピー可」である。従って、コピー制御情報決定部１１は、静止画サムネイルナビ画面の画像信号に付加するコピー制御情報を「コピー可」であると決定する。
【００８３】
結果として、通知パネルの画像信号が出力されることにより、外部に出力する静止画サムネイルナビ画面の画像信号に付加するコピー制御情報が、「コピー不可」から「コピー可」に変化することになる。
【００８４】
このように、実施の形態１の第１記録再生装置１は、コンテンツのサムネイルの一覧を表示する画像信号にコピー制御情報を付加して出力することができる。
【００８５】
そのコピー制御情報は、出力される画像信号に含まれる複数のサムネイル画像データに付加されたコピー制御情報に基づいて決定されている。
【００８６】
具体的には、複数のコピー制御情報のうち、最も強いコピー制御情報が選択され画像信号に付加される。これにより、少なくとも一つのサムネイル画像データが「コピー不可」であった場合、そのサムネイル画像データを含む画像信号は「コピー不可」となる。従って、「コピー不可」であるサムネイル画像データは出力先の機器にコピーされることはない。
【００８７】
また、少なくとも一つのサムネイル画像データが「コピー１回」でありその他のサムネイル画像データが「コピー可」であった場合、それらサムネイル画像データを含む画像信号は「コピー１回」となる。従って、「コピー１回」であるサムネイル画像データは出力先の機器に１回のみコピーが許可される。
【００８８】
このように、実施の形態１の第１記録再生装置１は、複数のコンテンツのそれぞれを示す複数の縮小画像が同時に一覧表示される一覧表示画像に対し適切な著作権保護を行うことができる。
【００８９】
（実施の形態２）
実施の形態２について、図８〜１０を用いて説明する。
【００９０】
実施の形態１における第１記録再生装置１は、ユーザにコンテンツの選択をさせるための画面として静止画であるサムネイルのみを表示するものであった。しかしながら、実施の形態２における第１記録再生装置１は、サムネイルとともに、縮小された動画像である縮小動画も同時に表示する機能を有する。この縮小動画を表示する機能を縮小動画ナビ機能という。なお、縮小動画は、本発明のコピー制御情報決定装置における縮小画像の別の一例であり、画面表示上、縮小されて表示される動画である。
【００９１】
図８は、本発明の実施の形態２の第１記録再生装置１において縮小動画ナビ機能が起動された際のコンテンツ視聴システムの概観を示す図である。
【００９２】
図８に示すように、第１記録再生装置１の有する縮小動画ナビ機能により、テレビ２に縮小動画ナビ画面が表示されている。縮小動画ナビ画面の画像は、本発明のコピー制御情報決定装置における一覧表示画像の別の一例である。
【００９３】
なお、実施の形態２の第１記録再生装置１の機能的な構成は、図２に示す実施の形態１の第１記録再生装置１の機能的な構成は同じである。しかしながら、実施の形態１とは異なる動作をコピー制御情報決定部１１と、再生部１３と、出力部１４とが行うことにより、縮小動画ナビ機能を発揮することができる。
【００９４】
縮小動画ナビ機能について以下に説明する。なお、以下の説明に際し、コンテンツ記憶部８には、図６に示すサムネイルデータ２０１ａ〜サムネイルデータ２０６ａを含むコンテンツデータが記憶されていると想定する。
【００９５】
図８に示すシステムにおいて、ユーザのリモコン３の操作により縮小動画ナビの起動が指示されると、サムネイル取得部９はコンテンツ記憶部８より、サムネイルデータ２０１ａ〜サムネイルデータ２０６ａを取得する。サムネイル取得部９は、取得した各サムネイルデータからサムネイル画像データを抽出し、一覧生成部１０へ送信する。
【００９６】
一覧生成部１０は、受信したサムネイル画像データを用い、縮小動画ナビ画面をテレビ２に表示させるための画像信号を生成する。生成された画像信号は出力部１４へ送信される。
【００９７】
出力部１４は、受信した画像信号を、第１出力端子１５を介しテレビ２へ出力し、第２出力端子１６を介し第２記録再生装置２０へ出力する。
【００９８】
ここまでの動作により、実施の形態１の説明の中で述べた、静止画サムネイルナビ画面と同様のサムネイルのみの縮小動画ナビ画面の画像信号が出力され、テレビ２に表示される。
【００９９】
ここで、縮小動画ナビ画面の初期表示状態においては、サムネイル２０１の位置にカーソルが合わせられる。
【０１００】
データ処理部７は、制御部５の指示に基づき、このカーソルが合わせられている位置のサムネイルに対応するコンテンツの実体データを読み出す。つまり、サムネイルデータ２０１ａに対応する実体データを読み出す。読み出された実体データは再生部１３へ送信される。
【０１０１】
再生部１３は、実体データを再生し、所定のサイズに縮小した動画データに変換し出力部１４へ送信する。出力部１４は、その動画データを縮小動画ナビ画面の画像信号に重畳し出力する。
【０１０２】
上記動作の結果、サムネイル２０１に対応するコンテンツの動画である縮小動画２０１Ｍが、サムネイル２０１の表示領域と同一の領域に再生される。この場合、縮小動画２０１Ｍに対応するコンテンツの音声が出力される。
【０１０３】
なお、コンテンツ記憶部８に記憶されているコンテンツの数が６個以上である場合、ユーザは縮小動画ナビ画面において、ページ切換またはスクロールするなどして残りのサムネイルおよび縮小動画を表示させることができる。
【０１０４】
ユーザは、リモコン３の十字キー３ａにより、サムネイルの選択を行うことができる。いずれかのサムネイルが選択されていると、その選択されたサムネイルに対応するコンテンツの縮小動画が、そのサムネイルの位置で再生される。
【０１０５】
上記選択で、リモコン３の再生キーａが押下されると、リモコン３から第１記録再生装置１へ再生指示が送信される。第１記録再生装置１では、ユーザに選択され、縮小動画の再生の対象となったコンテンツを全画面に表示するための画像信号が生成され、テレビ２および第２記録再生装置２０に出力される。テレビ２ではそのコンテンツの全画面再生が開始される。
【０１０６】
具体的には、制御部５の指示を受けたデータ処理部７が、再生部１３に、ユーザに選択され、縮小動画の再生の対象となったコンテンツを全画面に表示するための画像信号を生成するよう指示する。再生部１３は、そのコンテンツを全画面に表示するための画像信号を生成し、出力部１４へ送信する。出力部１４は、その画像信号をテレビ２および第２記録再生装置２０に出力する。
【０１０７】
なお、いずれかのサムネイルが選択され、縮小動画が表示されている状態で、ユーザによりリモコン３の消去キー３ｃが押下された場合、選択されたサムネイルに対応するコンテンツがコンテンツ記憶部８から消去される。
【０１０８】
具体的には、制御部５の指示を受けたデータ処理部７が、ユーザに選択され、縮小動画の再生の対象となったコンテンツのコンテンツデータをコンテンツ記憶部８から消去する。
【０１０９】
以上述べたように、第１記録再生装置１は、縮小動画ナビ機能により、各コンテンツを代表する静止画の縮小画像であるサムネイルを一覧表示する。さらにユーザに選択されたサムネイルに対応するコンテンツを縮小動画でユーザに提示する。この機能により、ユーザが行うコンテンツの再生およびコンテンツの消去などの操作の利便性が向上される。
【０１１０】
ここで、第１記録再生装置１は、縮小動画ナビ画面の画像信号を出力する際に、縮小動画ナビ画面に対し適切な著作権保護を行うためのコピー制御情報を決定する。このコピー制御情報について以下に説明する。
【０１１１】
サムネイルには、上述のように「コピー可」「１回コピー可」「コピー不可」のいずれか１つのコピー制御情報が付加されている。これらの情報は、「コピー可」「１回コピー可」「コピー不可」の順に、コピー制御情報として「強く」なる。これらコピー制御情報はサムネイル取得部９によって取得され、コピー制御情報決定部１１に送信される。
【０１１２】
また、縮小動画として再生されているコンテンツの実体データに付加されたコピー制御情報は再生が進むに連れてリアルタイムに変化する。具体的には上述のように、動画を構成する最小単位であるフレームごとにコピー制御情報が付加されており、そのため、フレームが順次再生されるに連れて、マージの対象となるコピー制御情報が変化する。
【０１１３】
図９は、縮小動画２０１Ｍにおけるコピー制御情報の経時変化の一例を示す図である。なお、図９において横軸は時間（ｔ）を示す。
【０１１４】
図９の経時変化グラフ２０１ｅにおいて、斜線部分は「コピー不可」であることを示し、斜線以外の矩形は「コピー可」であることを示す。
【０１１５】
図９に示すように、縮小動画２０１Ｍの再生が開始されてからの時間がｔ１の時点のフレームのコピー制御情報は「コピー可」である。つまり、このフレームが出力されている時点の縮小動画２０１Ｍは「コピー可」である。また、縮小動画２０１Ｍの再生が開始されてからの時間がｔ２の時点のフレームのコピー制御情報は「コピー不可」である。つまり、このフレームが出力されている時点の縮小動画２０１Ｍは「コピー不可」である。
【０１１６】
第１記録再生装置１のコピー制御情報決定部１１は、出力部１４から外部に出力される画像信号に含まれる縮小動画のフレームごとにコピー制御情報を取得する。つまり、実施の形態２においては、コピー制御情報決定部１１は、本発明のコピー制御情報決定手段における制御情報取得手段としても機能する。
【０１１７】
さらに、コピー制御情報決定部１１は、出力部１４が縮小動画ナビ画面の画像信号を外部に出力する各時点において、各サムネイルおよび縮小動画のフレームのコピー制御情報のうち、最も強いコピー制御情報を、縮小動画ナビ画面の画像信号に付加するコピー制御情報として決定する。
【０１１８】
例えば、サムネイル２０２〜サムネイル２０６のサムネイル画像データに付加されたコピー制御情報が全て「コピー可」であった場合、縮小動画２０１Ｍが「コピー不可」である時点では、縮小動画ナビ画面の画像信号に「コピー不可」のコピー制御情報が付加される。また、縮小動画２０１Ｍが「コピー可」である時点では、縮小動画ナビ画面の画像信号に「コピー可」のコピー制御情報が付加される。つまり、縮小動画２０１Ｍのリアルタイムに変化するコピー制御情報がそのまま画像信号に付加されて出力されることとなる。
【０１１９】
また、サムネイル２０２〜サムネイル２０６のサムネイルのコピー制御情報が図６に示す組合せである場合、サムネイルデータ２０４ａに含まれるコピー制御情報が「コピー不可」であるため、結果として、縮小動画ナビ画面の画像信号が出力されているどの時点においても「コピー不可」のコピー制御情報がその画像信号に付加され出力される。
【０１２０】
複数のサムネイルおよび一つの縮小動画のコピー制御情報の組合せが上述の組み合わせ以外の場合でも、同様の基準に則って一つのコピー制御情報が決定される。
【０１２１】
このように、コピー制御情報決定部１１は、縮小動画ナビ画面の画像信号に付加すべきコピー制御情報、つまり代表制御情報を決定する時点の縮小動画のコピー制御情報を、その縮小動画のコピー制御情報であるとみなす。さらに、その縮小動画のコピー制御情報を含む複数のコピー制御情報の中の最も強いコピー制御情報を代表制御情報と決定する。
【０１２２】
なお、音声に関しては、縮小動画のリアルタイムに変化する音声のコピー制御情報のみを、音声信号に付加して出力する。
【０１２３】
ここで、上記状態、つまり、サムネイル２０４のコピー制御情報が「コピー不可」であるため、縮小動画ナビ画面の画像信号に「コピー不可」のコピー制御情報に付加されて出力されている状態を想定する。その想定下において、縮小動画ナビ画面の上に、サムネイルまたは縮小動画を覆い隠すようになんらかの画像が重畳された場合の第１記録再生装置１の動作について、図１０を用いて説明する。
【０１２４】
図１０は、縮小動画ナビ画面に通知パネルが重ねられて表示された場合のテレビ２の画面表示例を示す図である。
【０１２５】
第１記録再生装置１において、通知パネル生成部１２は、制御部５の指示に基づき、ユーザの操作の結果、または機器からの警告を通知するための通知パネルの画像信号を生成する。生成された通知パネルの画像信号は、出力部１４において縮小動画ナビ画面の画像信号に重畳され、テレビ２および第２記録再生装置２０に出力される。
【０１２６】
例えば、図１０に示すように、予約録画の開始時刻が迫っていることをユーザに通知するために「予約録画が始まります」と表示された通知パネルが縮小動画ナビ画面に重ねられて表示される。
【０１２７】
この通知パネルにより、本来表示されるサムネイルまた縮小動画が表示されなくなる。例えば、図１０に示すようにサムネイル２０４〜サムネイル２０６の３つのサムネイルが覆い隠される。つまり、この状態で第１記録再生装置１から出力されている画像信号に含まれるサムネイル画像データは、サムネイル２０２、サムネイル２０３の２つのサムネイル画像データのみである。またそれらサムネイル画像データに加えて、縮小動画２０１Ｍの画像信号が含まれている。
【０１２８】
上述のように、通知パネルにより隠されたサムネイルまたは縮小動画のデータは出力されない。そのため、これら隠されたサムネイルまたは縮小動画に付加されたコピー制御情報は、画像信号出力には反映する必要がない。
【０１２９】
従って、コピー制御情報決定部１１は、縮小動画２０１Ｍのリアルタイムに変化する画像のコピー制御情報と、サムネイル２０２、サムネイル２０３のコピー制御情報のみマージする。図６に示すように、サムネイル２０２、サムネイル２０３のサムネイル画像データに付加されたコピー制御情報は、ともに「コピー可」である。従って、コピー制御情報決定部１１は、静止画サムネイルナビ画面の画像信号に付加するコピー制御情報として、リアルタイムに変化する縮小動画２０１Ｍのコピー制御情報を採用する。
【０１３０】
結果として、通知パネルの画像信号が出力されることにより、外部に出力する縮小動画ナビ画面の画像信号に付加するコピー制御情報が、「コピー不可」から、縮小動画２０１Ｍの再生に伴って変化するコピー制御情報に取って代わられることとなる。
【０１３１】
このように、実施の形態２の第１記録再生装置１は、縮小動画を含むサムネイルの一覧を表示する画像信号にコピー制御情報を付加して出力することができる。
【０１３２】
そのコピー制御情報は、出力される画像信号に含まれる複数のサムネイル画像データに付加されたコピー制御情報および、一つの縮小動画の再生に伴って変化するコピー制御情報に基づいて決定されている。
【０１３３】
具体的には、複数のコピー制御情報および、縮小動画の再生に伴って変化するコピー制御情報のうち、その画像信号を出力している時点で最も強いコピー制御情報が選択され画像信号に付加される。
【０１３４】
これにより、少なくとも一つのサムネイル画像データまたは縮小動画が「コピー不可」である時点の画像信号は「コピー不可」となる。従って、「コピー不可」であるサムネイル画像データまたは縮小動画は出力先の機器にコピーされることはない。
【０１３５】
また、少なくとも一つのサムネイル画像データまたは縮小動画が「コピー１回」であり、その他のサムネイル画像データまたは縮小動画が「コピー可」であった場合、それらサムネイル画像データまたは縮小動画を含む画像信号は「コピー１回」となる。従って、「コピー１回」であるサムネイル画像データまたは縮小動画は出力先の機器に１回のみコピーが許可される。なお、縮小動画の再生に伴う音声信号に関しては、通知パネルが表示されることの影響を受けない場合、そのまま出力される。
【０１３６】
このように、実施の形態２の第１記録再生装置１は、複数のコンテンツのそれぞれを示す複数の縮小画像が同時に一覧表示される一覧表示画像に対し適切な著作権保護を行うことができる。
【０１３７】
なお、上述の縮小動画ナビ画面において、ユーザに選択されたサムネイルのみが縮小動画の再生の対象となるとした。しかしながら、縮小動画ナビ画面において、複数の縮小動画を再生させてもよい。
【０１３８】
例えば、縮小動画を６つ同時に再生させてもよく、縮小動画を３つ同時に再生させ、残り３つは静止画であるサムネイルであるとしてもよい。
【０１３９】
このように、複数の縮小動画が同時に再生された場合であっても、第１記録再生装置１は適切に画像信号に付加するコピー制御情報を決定することができる。具体的には、コピー制御情報決定部１１は、再生部１３から出力部１４に入力される各縮小動画のデータからリアルタイムに変化するコピー制御情報を読み出す。さらに、読み出した複数のコピー制御情報をマージし、最も強いコピー制御情報を選択し、出力部１４に送信する。出力部１４は、複数の縮小動画を含む縮小動画ナビ画面の画像信号にコピー制御情報決定部１１から送信されたコピー制御情報を付加し、テレビ２および第２記録再生装置２０へ出力する。
【０１４０】
図１１は、６つの縮小動画が同時に再生された場合の、各縮小動画のコピー制御情報の経時変化の例を示す図である。
【０１４１】
図８に示す縮小動画ナビ画面において、縮小動画２０１Ｍの他に、サムネイル２０２〜サムネイル２０６の位置のそれぞれに、それらサムネイルに対応する縮小動画２０２Ｍ〜縮小動画２０６Ｍが再生されていると想定する。
【０１４２】
図１１に示す、経時変化グラフ２０１ｅ〜経時変化グラフ２０６ｅは、それぞれ縮小動画２０１Ｍ〜縮小動画２０６Ｍに対応する。また、それぞれの経時変化グラフにおいて、斜線部分は「コピー不可」であることを示し、ドットが付された部分は「コピー１回」であることを示す。斜線部分およびドットが付された部分以外の矩形は「コピー可」であることを示す。
【０１４３】
例えば、各縮小動画の再生が開始されてからの時間がｔ１の時点では全てのコピー制御情報が「コピー可」である。そのため、この時点では、縮小動画ナビ画面の画像信号には「コピー可」のコピー制御情報が付加されて出力される。
【０１４４】
また、各縮小動画の再生が開始されてからの時間がｔ２の時点では、縮小動画２０２Ｍ、縮小動画２０４Ｍ、縮小動画２０５Ｍのコピー制御情報が「コピー可」であるが、その他のコピー制御情報が「コピー不可」である。そのため、この時点では、縮小動画ナビ画面の画像信号には「コピー不可」のコピー制御情報が付加されて出力される。
【０１４５】
また、各縮小動画の再生が開始されてからの時間がｔ３の時点では、縮小動画２０６Ｍのコピー制御情報以外のコピー制御情報は「コピー可」である。また、縮小動画２０６Ｍのコピー制御情報は「コピー１回」である。そのため、この時点では、縮小動画ナビ画面の画像信号には「コピー１回」のコピー制御情報が付加されて出力される。
【０１４６】
このように、複数の縮小動画が同時に再生されている場合であっても、第１記録再生装置１は、適切なコピー制御情報を付加した画像信号を外部に出力することができる。
【０１４７】
また、実施の形態１および２において、通知パネルが表示画面に重ねられて表示される場合、通知パネルによって隠されることなく現に出力されているサムネイルおよび縮小動画のコピー制御情報のみをマージの対象とした。
【０１４８】
同様に、画面表示をスクロールした場合など、テレビ２に表示されるサムネイルまたは縮小動画のコピー制御情報を、画像信号に付加するコピー制御情報を決定するためのマージの対象としてもよい。
【０１４９】
つまり、実質的に外部に出力される画像信号に含まれるサムネイルまたは縮小動画のデータのコピー制御情報に応じて、その画像信号に付加するコピー制御情報を決定すればよい。
【０１５０】
ユーザの操作によりスクロールされる画像の信号は、第１記録再生装置１が生成し出力するものであり、どのサムネイルおよび縮小動画が外部に出力されているかを捕捉することができる。
【０１５１】
例えば、コピー制御情報決定部１１が、出力部１４から出力される画像信号からどのサムネイルおよび縮小動画が外部に出力されているかの情報を取得すればよい。これにより、ユーザの操作によりスクロールする画像であっても、リアルタイムにその時点の画像信号に付加すべきコピー制御情報を決定することができる。
【０１５２】
また、実施の形態１および２において、通知パネルが表示画面に重ねられて表示される場合、全体が通知パネルによって、その全体が隠されたサムネイルまたは縮小動画のコピー制御情報を、画像信号に付加するコピー制御情報を決定するためのマージの対象から除外するとした。
【０１５３】
しかしながら、サムネイルまたは縮小動画の一部が通知パネルによって隠された場合でも、そのサムネイルまたは縮小動画のコピー制御情報をマージの対象から除外してもよい。また、通知パネルによって隠されずに表示される割合により、マージの対象とするか否かを決定してもよい。
【０１５４】
例えば、サムネイルの全体の表示面積において、通知パネルによって隠されない面積の割合が２０％以上である場合、そのサムネイルのコピー制御情報をマージの対象とするという規定を設けてもよい。
【０１５５】
また、通知パネルが透明度を有する場合、通知パネルの下にある画像は、通知パネルの透明度に比例して、表示される割合を増すこととなる。従って、その下にある画像を完全に不可視にしない場合、通知パネルの透明度に応じて、マージの対象とするか否かを決定してもよい。
【０１５６】
例えば、通知パネルの透明度が５０％以上である場合、その下にあるサムネイルのコピー制御情報をマージの対象とするという規定を設けてもよい。
【０１５７】
また、サムネイルまたは縮小動画が縮小通知パネルによって隠されずに表示される割合および通知パネルの透明度を同時に考慮し、そのサムネイルまたは縮小動画をマージの対象とするか否かを決定してもよい。
【０１５８】
また、あるサムネイルまたは縮小動画のコピー制御情報をマージの対象とする基準となる、通知パネルによって隠されずに表示される面積の割合および通知パネルの透明度は、そのサムネイルまたは縮小動画が含まれるコンテンツの著作権者が決定してもよい。この場合、著作権者に決定された上述の割合等の情報をコンテンツデータに付加させておき、コピー制御情報決定部１１が、その情報に基づき、そのサムネイルまたは縮小動画のコピー制御情報をマージの対象とするか否かを決定すればよい。
【０１５９】
このように、サムネイルまたは縮小動画である縮小画像の実質的な表示形態に応じて、出力される画像信号に付加するコピー制御情報を決定することで、縮小画像のデータを含む画像信号に対し、より実質的な著作権保護を図ることができる。
【０１６０】
また、第１記録再生装置１において、サムネイル取得部９は、コンテンツデータに予め含まれているサムネイル画像データ（図４参照）を抽出するとした。しかしながら、静止画サムネイルナビ画面または縮小動画ナビ画面の画像信号を出力する際に、コンテンツの実体データから静止画のデータを抽出し、その静止画を外部に出力するサムネイルとしてもよい。
【０１６１】
例えば、サムネイル取得部９が、各コンテンツの再生開始から５秒後にあたる静止画を各コンテンツの実体データから抽出してもよい。また、各コンテンツデータにおける、その静止画を抽出する位置は、上述のように再生開始からの所定の時間により定義されていてもよく、コンテンツごとに指定されていてもよい。
【０１６２】
このように、サムネイルの出力のつど、サムネイルとなる静止画のデータを実体データから抽出する場合、その静止画のデータの位置に応じたコピー制御情報もともに抽出すればよい。例えば、図５において、再生開始からｔ１の時点の静止画のデータであれば、「コピー可」のコピー制御情報とともに抽出されることとなる。
【０１６３】
こうすることで、第１記録再生装置１が扱うコンテンツが、サムネイル画像データとそのコピー制御情報をコンテンツの実体データとは別に有しないデータ形式のコンテンツであっても、それらコンテンツに含まれる画像データの著作権を適切に保護することができる。
【０１６４】
また、動画コンテンツがＭＰＥＧ（Moving Picture Experts Group）方式により圧縮されたデータであり、サムネイルとして抽出したフレームがＰピクチャまたはＢピクチャであった場合、例えば、直前のＩピクチャをサムネイルとして抽出してもよい。
【０１６５】
また、図５等に示すように、第１記録再生装置１が扱うコンテンツにおいてコピー制御情報は動画を構成するフレームごとに付加されているとした。しかしながら、コピー制御情報はフレームごとに付加されていなくてもよい。例えば、複数のフレームから構成されるブロック単位で付加されていてもよい。また、コピー制御情報を再生に伴ってリアルタイムに変化させる必要のないコンテンツなどにおいて、コピー制御情報がコンテンツに一つだけ付加されていてもよい。つまり、縮小動画に含まれる各画像のコピー制御情報が特定できればよい。
【０１６６】
これらのどの場合であっても、例えば、サムネイル取得部９が、それらコピー制御情報が付加された単位に応じて、サムネイルとして取得するフレームに対応するコピー制御情報を特定すればよい。また、例えば、コピー制御情報決定部１１が、コピー制御情報が付加された単位に応じて、出力部１４が外部に出力する縮小動画の各フレームに対応するコピー制御情報を特定すればよい。
【０１６７】
つまり、コピー制御情報が付加されるデータの単位に関わらず、実体データに含まれる画像のデータごとにコピー制御情報を特定できるコンテンツであれば、実施の形態１および２の第１記録再生装置１は、それらコンテンツに含まれる画像データの著作権を適切に保護することができる。
【０１６８】
また、第１記録再生装置１が扱うコンテンツは動画コンテンツであるとした。しかしながら、第１記録再生装置１が扱うコンテンツは静止画のみを含むコンテンツであってもよい。コンテンツから画像を抽出する際、その画像のコピー制御情報もともに取得できるコンテンツであればよい。
【０１６９】
また、第１記録再生装置１の出力部１４は、出力する画像信号にコピー制御情報を付加して出力するとした。しかしながら、付加して出力しなくてもよく、少なくとも、出力する画像信号とコピー制御情報とが同期できるように関連付けられていればよい。この場合、例えば、関連付けられた画像信号とコピー制御情報とを受信する外部の機器がその画像信号とコピー制御情報とを結び付けてもよい。
【０１７０】
また、本発明のコピー制御情報決定装置の一例として、コンテンツの記録および再生を行う記録再生装置を用い本発明の説明を行った。しかしながら、本発明のコピー制御情報決定装置は、コンテンツの記録再生装置以外の形態でも実施可能である。
【０１７１】
例えば、ケーブルテレビの放送番組を受信するコントロールボックスのような、家庭用テレビに接続して追加機能を提供するデバイスであるセットトップボックスとして本発明のコピー制御情報決定装置を実施してもよい。
【０１７２】
また、本発明のコピー制御情報決定装置は、実施の形態１および２における第１記録再生装置１のように、内部に備えられた記憶装置からコンテンツデータを読み出す形態でなくてもよい。例えば、ＤＶＤ、ブルーレイディスク、半導体メモリのような記憶媒体からコンテンツデータを読み出す再生装置として実施されてもよい。
【０１７３】
つまり、本発明のコピー制御情報決定装置は、複数のコンテンツデータからそれぞれのコンテンツに含まれる静止画または動画のコピー制御情報を取得する機能を有する。また、取得した複数のコピー制御情報に基づき、それら静止画または動画の縮小画像を複数含む画像の信号に付加するコピー制御情報を決定する機能を有する。さらに決定したコピー制御情報を出力する機能を有する。これらの機能より、複数のコンテンツのそれぞれを示す複数の縮小画像が同時に表示された画像に対し適切な著作権保護を行うことが可能となる。
【０１７４】
従って、上述のセットトップボックスや、記憶媒体の再生装置のように自身がコンテンツを有しない形態の機器であっても、本発明のコピー制御情報決定装置を実施することは可能である。この場合、コンテンツのデータ形式は上述のようにサムネイル画像データが実体データとは別に有するデータ形式であってもよく、実体データの中からサムネイルとなる画像データを抽出する必要のあるデータ形式であってもよい。
【０１７５】
また、コピー制御情報は、「コピー可」、「１回コピー可」、「コピー不可」のいずれかであるとした。しかしながら、コピーの制限に関する情報であれば、上述の情報以外の情報でもよい。この場合、それらコピー制御情報が有する著作権保護機能に基づき、強さの順位を特定すればよい。さらに、コピー制御情報決定部１１に、複数のコピー制御情報、およびそれらの順位に関する情報記憶させておけばよい。コピー制御情報決定部１１は、その情報に基づいて代表制御情報を決定すればよい。
【０１７６】
また、コピー制御情報に時期的な制限や再生機器の種類別の制限などの条件が付されている場合、例えば、コピー制御情報決定部１１が、日時や再生機器の種類などの、条件を考慮するための情報を取得し、代表制御情報の決定を行えばよい。
【０１７７】
つまり、コピー制御情報決定部は、一覧表示画像に含まれる縮小画像のコピー制御情報に基づいて、必要な条件を考慮し代表制御情報の決定を行えばよい。
【０１７８】
こうすることで、地域や時代によりコンテンツの著作権保護やデータ形式に関する規格等が変化した場合においても第１記録再生装置１を適切に動作させることができる。
【０１７９】
また、コンテンツデータに全くコピー制御情報が含まれていない場合など、サムネイルまたは縮小動画である縮小画像のコピー制御情報が特定できない場合、例えば、そのコンテンツから取得される縮小画像のコピー制御情報を「コピー不可」として取り扱ってもよい。
【０１８０】
こうすることで、コピーの可否について特定できないコンテンツに対しても、著作権保護の観点から安全に動作する第１記録再生装置１を提供することができる。
【０１８１】
また、第１記録再生装置１が処理するコンテンツデータはデジタルデータでなくてもよい。例えば、アナログ放送において、放送波のブランキング期間にコピー制御情報が埋め込まれて送信される場合がある。この場合、例えば、データ処理部７またはサムネイル取得部９が放送波に埋め込まれたコピー制御情報を取り出し、その放送波に含まれる画像データと対応付ければよい。放送波に電子透かしとしてコピー制御情報が付加される場合も同様である。
【０１８２】
つまり、受信し、出力する画像に関するコピー制御情報が取得できれば、コンテンツデータはデジタルデータでもアナログデータでもよい。
【０１８３】
このように、第１記録再生装置１をアナログのコンテンツデータに対応させることにより、アナログのコンテンツデータから得られる縮小画像の一覧の画像に対しても適切に著作権を保護することができる。
【０１８４】
また、実施の形態１および２において、テレビ２に同時に表示されるサムネイルおよび縮小動画の数が６個の場合を説明した。しかしながら、この数に限定されるものではなく、任意の数において外部に出力される画像の著作権を保護することができる。
【０１８５】
例えば、サムネイルが一枚だけ、または縮小動画が一つだけ表示されている場合であっても、本発明の実施の形態１および２にしめす規則に則ってコピー制御情報が決定される。具体的には、表示されている１枚のサムネイルのコピー制御情報、もしくは一つの縮小動画のリアルタイムに変化するコピー制御情報が画像信号出力に付加される。
【０１８６】
また、例えば、６枚以上のサムネイルが同時に表示される場合であっても、コピー制御情報決定部１１が、それらサムネイルのコピー制御情報をマージすればよい。
【０１８７】
こうすることで、例えば、ユーザによって一覧に表示できるサムネイルおよび縮小動画の数を変更できる仕様の記録再生装置においても、その一覧の画像の著作権を保護することができる。
【０１８８】
また、図３に示す第１記録再生装置１の構成部の一部または全部は、各構成部の組み合わせにより、集積回路であるＬＳＩとして実現される場合がある。これらは、個別に１チップ化されても良いし、一部またはすべての構成部を含むように１チップ化されても良い。
【０１８９】
図１２は、実施の形態１および２の第１記録再生装置１において集積回路として実現される構成部の範囲の一例を示す図である。図中の点線で囲まれた範囲が集積回路として実現される構成部の範囲の一例を示す。つまり、本発明のコピー制御情報決定装置は、ＬＳＩ等の集積回路として実現されてもよい。
【産業上の利用可能性】
【０１９０】
本発明のコピー制御情報決定装置は、一画面に複数のサムネイルもしくは縮小動画を表示させる画像信号を出力する際に、適切なコピー制御情報を決定し出力することができる。従って、著作権保護に関する機能が必要な記録再生装置やセットトップボックスに最適である。
【図面の簡単な説明】
【０１９１】
【図１】図１は、従来の記録再生装置において静止画サムネイルナビ機能が起動された際のコンテンツ視聴システムの概観を示す図
【図２】図２は、本発明の実施の形態１の第１記録再生装置１において静止画サムネイルナビ機能が起動された際のコンテンツ視聴システムの概観を示す図
【図３】図３は、本発明の実施の形態１および２の第１記録再生装置の機能的な構成を示す機能ブロック図
【図４】図４は、コンテンツデータのデータ構成の一例を示す図
【図５】図５は、コンテンツの実体データに付加されたコピー制御情報の経時変化の一例を示す図
【図６】図６は、コンテンツ記憶部に記憶されている複数のサムネイルデータの例を示す図
【図７】図７は、静止画サムネイル画面に通知パネルが重ねられて表示された場合のテレビの画面表示例を示す図
【図８】図８は、本発明の実施の形態２の第１記録再生装置１において縮小動画ナビ機能が起動された際のコンテンツ視聴システムの概観を示す図
【図９】図９は、縮小動画におけるコピー制御情報の経時変化の一例を示す図
【図１０】図１０は、縮小動画ナビ画面に通知パネルが重ねられて表示された場合のテレビの画面表示例を示す図
【図１１】図１１は、６つの縮小動画が同時に再生された場合の各縮小動画のコピー制御情報の経時変化の例を示す図
【図１２】図１２は、実施の形態１および２の第１記録再生装置１において集積回路として実現される構成部の範囲の一例を示す図
【符号の説明】
【０１９２】
１    第１記録再生装置
２    テレビ
３    リモコン
４    受付部
５    制御部
６    データ受信部
７    データ処理部
８    コンテンツ記憶部
９    サムネイル取得部
１０    一覧生成部
１１    コピー制御情報決定部
１２    通知パネル生成部
１３    再生部
１４    出力部
１５    第１出力端子
１６    第２出力端子
２０    第２記録再生装置
６０    アンテナ
【図１】
0004688797.tif 000002
【図２】
0004688797.tif 000003
【図３】
0004688797.tif 000004
【図４】
0004688797.tif 000005
【図５】
0004688797.tif 000006
【図６】
0004688797.tif 000007
【図７】
0004688797.tif 000008
【図８】
0004688797.tif 000009
【図９】
0004688797.tif 000010
【図１０】
0004688797.tif 000011
【図１１】
0004688797.tif 000012
【図１２】
0004688797.tif 000013